(57)【要約】      （修正有）【課題】グリル調理使用後、グリル網と受け皿は都度の洗浄を要し放置すると悪臭も伴い、網の洗浄には手間と労力を必要とし、熱くなった網は火傷のおそれがあり危険が伴う為、市販のアルミニウム箔を用いてグリル網・受け皿等の汚れの軽減とアルミニウム箔を取り替えるだけで繰り返し加熱調理を可能とする。【解決手段】回転によるローラー１５を用いて軸に対して傾斜をつけた円筒を取り付けそれぞれの円筒の間に網棒の程の大きさの溝を配したローラー１５をグリル網上で転がしアルミニウム箔をグリル網上に一定の波形を成形させる。これにより、グリル網の棒と棒の間に凹みを作ることで汚れの原因となる食材から出る油や水分を受けることで汚れや洗浄の軽減を図る。調理後も洗浄せずにアルミニウム箔を取替えるだけで繰り返し使用できる。【選択図】図１
2014226200.tif 000002
【特許請求の範囲】
【請求項１】
回転軸に対してローラーの軸となる芯の溝と周りに位置する円筒に傾斜を作ることで
ねじれを作り軸回転しても円筒の中心軸との位置関係はかわらない
回転軸と中心軸は非平行で軸回転することを特徴とするアルミニウム箔成形ローラー
【請求項２】
ローラーの溝が、網の棒を支点とする回転により、
次の網棒へと支点を移動することで一定の凹みが成形できる
ことを特徴とするアルミニウム箔成形ローラー
【請求項３】
請求項1により、ねじれを作ることで網棒とローラーの溝の支点は接地面が少なくなり、
支点がYからXへ支点移行することで支点にかかる力も移動するため
回転する力とともに押す力も軽減されることを特徴とするアルミニウム箔成形ローラー
【請求項４】
請求項1により円筒支点ａが進行方向へ回転すると同時に支点ｂへ移行しながら成形され
請求項2により回転させた場合請求項3によりローラーの溝は支点Yから支点Xへ支点移行し
圧力を移動させることにより、アルミニウム箔にかかる圧力も移動するため成形後も、
かわることなく進行側のアルミニウム箔を巻き込みながら成形させることを特徴とする
アルミニウム箔成形ローラー
【発明の詳細な説明】
【技術分野】
【０００１】
この発明は市販のアルミニウム箔を用いて家庭用グリル網上に適当な大きさにカットした
アルミニウム箔を置き、本発明品を用いて転がし網上にアルミニウム箔を波形に成形する。
これによりグリル網や受皿等の汚れの軽減をはかり使用ごとにアルミニウム箔を
取替えるだけで洗浄せず継続して繰り返しグリル調理を可能とさせるものである。
【背景技術】
【０００２】
従来は網の上に食材を置き加熱調理する。一般的に魚を焼くことで知られており、
使用後には都度洗浄を要し、放置すれば悪臭の原因になることも。特に網や
受け皿の洗浄は大変で面倒であり、網の洗浄にいたっては繰り返し使用の場合、
こびりつきがひどく洗浄が困難であり、その為使用頻度が多くはなかった。
また、繰り返し使用する場合はそのまま使用するか洗浄する方法しかなく
後者では火傷に注意しなければならなかった。
【先行技術文献】
【特許文献】
【０００３】
【特許文献１】特開2001-286948(グリル用アルミニウム箔成形具)
【特許文献２】特開2003-10052(調理用溝網製作器具)
【発明の概要】
【発明が解決しようとする課題】
【０００４】
上記特許文献  1では凹凸による一定軸回転では2つ目の凹みを成形するとき、
先に成形された1つ目の凹みが引っ張られて成形がくずれ、この手法では
アルミニウム箔がまきあがり網に添わない。また、成形具自体複雑であり
製作コストを上げてしまい高価なものになる課題、問題点がある。
特許文献2では１溝ずつ押しつけないと成形できず面倒であり、押し加減は
使い手により違うため困難を要しアルミニウム箔自体が破損する可能性もあり誰もが、
簡単に扱えるとまでいえない課題、問題点がある。
アルミニウム箔は安易に成形できるが崩れやすく破れやすい性質を持つため
上記特許文献では解決できない。
【課題を解決するための手段】
【０００５】
本発明はローラー（15）を回転させてアルミニウム箔（11)を網上に一定の凹みを
波形に成形する。
グリル網上に適当な大きさにカットしたアルミニウム箔(11)を置き、その上をローラー(15)で、
転がしてグリル網の棒(12)と棒(12)の間に均等かつ一定の凹みを連続で成形する。
ローラー(15)による回転はねじりを作るための芯(16)となる軸と4つの円筒(9)からなる形状。
それぞれの円筒(9)の中心軸は平行で、ローラー(15)の回転軸に対して非平行である。
ローラー(15)が軸回転する時、4つの円筒(9)の中心軸は変わらない位置関係で軸回転し、
回転軸に対して、4つの円筒(9)に傾斜をつくることによりねじれができる為、
これにより凹みを成形させる場合、回転方向にかかる力を利用し回転と同時に成形し、
ねじれがあることにより安定した回転で円筒(9)の支点aから支点bへ傾斜にそって
端から徐々に成形される。
溝(10)に傾斜を配したことで、アルミニウム箔(11)は、網の棒(12)とローラー(15)の溝(10)が、
からみ合う時、接地面が少なくなるため回転する力と押す力は軽減される。
回転時の支点は、支点Yから支点Xへ支点移行させることにより、アルミニウム箔(11)にかかる
圧力も移動するため、先に作られたアルミニウム箔(11)の凹みは円筒(9)の傾斜により
成形後もかわることなく進行側のアルミニウム箔(11)を巻き込むことにより成形される。
ローラー（15）の溝(10)は網の棒(12)の厚み分(Ｃ)程の幅を作ることでローラー(15)を網上で
回転させた時、網の棒(12)と溝（10）がからみあい、網上の棒(12)が回転ごとの支点となり
次の網の棒（12）へ支点移動する。これにより回転が安定し網上に一定かつ均等な凹みが
成形させられ、回転を繰り返すことでアルミニウム箔(11)が波形に成形される。
また扱い易いように本体の回転軸に棒を取りつけ、回転するようにハンドル棒(13)を
取り付けることで使用操作も向上する。
【発明の効果】
【０００６】
網上にアルミニウム箔を波形の凹みを成形させることにより食材を加熱した時に出る
余分な油等を凹み部分が受けグリルの網・受け皿の汚れを軽減して食材を焼くことができる。
食材を置いた部分の網の汚れやこびりつきを防ぐことができ面倒な洗浄の手間と労力が
軽減でき、また洗浄時の火傷の心配もない。アルミニウム箔を使用ごとに取り替えることで
熱くなったグリルも洗浄することなく加熱調理ができ一般的に魚の加熱調理法として
知られるが、魚だけでなく他の加熱調理法としての利用度も広がる。
【図面の簡単な説明】
【０００７】
【図１】本発明の立体図
【図２】本発明の芯となる平面図
【図３】本発明の芯となる立体図
【図４】本発明の芯となる組立図(立体図)
【図５】グリルの断面図とアルミニウム箔の波形成形図
【図６】本発明の側面図
【発明を実施するための形態】
【０００８】
以下、本発明の形態について、図面を参考しつつ本体は、ある程度耐熱性があり
アルミニウム箔の性質上、密着しない物が好ましく調理具として使われている材質や
加工し易い木材が適す。
アルミニウム箔成形ローラーの軸となる芯はグリル網の棒（12）ほどの厚み半分ほど
（板状を重ねる為）の板状（1）図2を参考にし、均等に４等分にカット、さらに斜めに
１／８カットし、形状が同じ台形を８枚作る。
図3より板状（1）を組立てる際、１と２の斜めカットした面がエル角になり
2と3の垂直にカットした面の側面が溝（10）になる。  
（溝（10）になる面は、  4と5、  6と7の側面、  8の垂直側と1の垂直側）
カットした板状（1）を1から8の形状を図4のように配置し組立芯を作るこの組立芯が
ローラー（15）軸の芯（16）となる。
板状（1）からの組立方法は一例であり本発明品の軸図4に形状に出来るものであればよい。
芯（16）の溝（10）の厚みはグリル網棒（12）ほどの厚み（Ｃ）を要し、
円筒（9）はグリル網の棒と棒にはまるほどの大きさ（Ｄ）の物を要する。
芯（16）をそれぞれ組立て、4つのエル角に配した面に円筒（9）を固定する。
仕上げに角をおとし丸みをもたせアルミニウム箔の破損予防にもなり見た目も美しい。
この際、ローラーとして望ましい実施例としては中心の芯（16）に穴を配し回転するように
ハンドル棒（13）を付けるとこで利用者の使い勝手が向上する。
（一例の製作方法であるが図1本発明の立体図に仕上げられるものなら可能である）
例えば、木から彫り出し、樹脂で型抜き等
【実施例】
【０００９】
図2より板状（1）の枚数を6枚で組立、円筒（9）は3つで成形されたローラーとなり
この場合図6円筒（9）の溝（10）から溝（10）の長さ（Ｆ）が大きい程  凹みの深さが大きくなり
また板状（1）を10枚で成形し円筒（9）を5つで成形すると円筒（9）の溝（10）から溝（10）は
短くなり凹みが浅い波型ができる用途により、ローラー（15）は凹みが浅いものと深いものが
でき使い手は、それぞれ目的に応じて選択可能となる。
【００１０】
また、本発明に各円筒（9）に小さな突起物（鋭角な物）を配することで穴空き波形をつくる
ことも可能となる。
【符号の説明】
【００１１】
１.  ２.  ３.  ４.  ５.  ６.  ７.  ８.    板状
９.    円筒
１０.    溝
１１.    アルミニウム箔
１２.    網の棒
１３.    ハンドル棒
１４.    グリル
１５.    ローラー
１６.    芯
【図１】
2014226200.tif 000003
【図２】
2014226200.tif 000004
【図３】
2014226200.tif 000005
【図４】
2014226200.tif 000006
【図５】
2014226200.tif 000007
【図６】
2014226200.tif 000008